(57)【特許請求の範囲】
【請求項１】
本体と、吹出口と、蒸気発生部と、前記吹出口と前記蒸気発生部との間に連通接続される筒状部とを備え、前記蒸気発生部からの蒸発した水分をバイパス管に通し、静電霧化装置に水滴を供給する加湿器において、前記静電霧化装置は、霧化しきれない水を戻す受皿と、霧化物を発生する霧化発生部とで構成され、前記バイパス管を前記蒸気発生部の側面に前記静電霧化装置へつながるように設け、前記バイパス管に吸水性素材を設け、前記筒状部から前記バイパス管に流れ込んだ蒸気が前記吸水性素材から滲み出し液化され、前記受皿に貯留された水分を毛細管現象によって前記霧化発生部へ搬送することを特徴とする加湿器。
【請求項２】
前記本体内に水が供給される本体水受皿を設け、対をなす板片状の滴下部を前記受皿に設け、前記受皿の一定の箇所から前記本体水受皿に水を落下させたことを特徴とする請求項１記載の加湿器。
【発明の詳細な説明】
【技術分野】
【０００１】
本発明は、所定部に加湿空気を供給する加湿器に関する。
【背景技術】
【０００２】
従来、静電霧化装置によりミストを発生させ加湿を行う加湿器がある（特許文献１）。そして、蒸気発生部からの蒸気の一部を蒸気通路に設けられた給水部に導き、その水滴を静電霧化装置へ供給する構成としている。
【先行技術文献】
【特許文献】
【０００３】
【特許文献１】特開２００５−７６９７８号公報
【発明の概要】
【発明が解決しようとする課題】
【０００４】
しかし、上記の構成では、蒸気通路に連通する蒸気吐出口をふさがれた場合、逆流してきた蒸気が給水部を通って静電霧化装置に付着し、その水分によって静電霧化装置と人の触れる部分とが電気的に短絡してしまい感電する恐れがある。
【０００５】
そこで本発明は、静電霧化装置への蒸気の逆流による感電を防止した安全な加湿器を提供することを、その目的とする。
【課題を解決するための手段】
【０００６】
請求項１の発明によれば、バイパス管（給水部）に流れ込んだ蒸気は吸水性素材によって静電霧化装置の下部にある受皿に滲み出るように滴下し、受皿に貯留された水分が毛細管現象によって霧化発生部へ搬送される。
【０００７】
請求項２の発明によれば、受皿から溢れ出した水は突起によって必ず一定の箇所から落下するので、静電霧化装置への蒸気の逆流によって、水分が受皿に蓄積して溢れ出すようなことになっても、突起に導かれて必ず一定の箇所から本体水受皿に落下させることが可能となる。そのため、受皿から溢れ出した水分によって加湿用水と電気的に短絡することを確実に防ぐことができる。
【発明の効果】
【０００８】
請求項１の発明によれば、給水部に流れ込んだ蒸気が蒸気のまま静電霧化装置に侵入することはなく、蒸気発生部を構成する電極に高電圧を印加しても、静電霧化装置の周辺に付着する水分に起因した感電を防止することが可能になる。
【０００９】
請求項２の発明によれば、静電霧化装置の霧化しきれずに溢れた水分を確実に電気的に絶縁し、静電霧化装置への蒸気の逆流による感電を防止した安全な加湿器を提供することができる。
【図面の簡単な説明】
【００１０】
【図１】本発明の一実施例における加湿器の概略構成図である。
【図２】同上、加湿器全体を正面から見た部分断面図である。
【図３】同上、加湿器の要部を側面から見た部分断面図である。
【図４】同上、送風ガイド、加熱槽等を含む蒸気発生部を省略した静電霧化装置周辺を側面から見た部分断面図である。
【図５】同上、図４における受皿構造の拡大斜視図である。
【発明を実施するための形態】
【００１１】
以下、添付図面を参照しながら、本発明における加湿器の好ましい実施例を説明する。
【００１２】
図１〜図５は、本発明で適用する加湿器の一実施例を示すもので、これらの各図において、１は例えばケースや蓋などにより形成され、加湿器の外郭をなす本体１で、この本体１の正面には、第１の操作手段である除菌スイッチ２や、第２の操作手段である運転スイッチ３などを備えた操作パネル４が設けられる。また、５は加湿器への給電を行うための電源コードで、この電源コード５の基端部にあるマグネットプラグ６が、外郭１の例えば側面に設けたプラグ受け７に着脱自在に接続されるようになっている。
【００１３】
１１はタンク装着部を兼用する凹状の本体水受皿であり、この本体水受皿１１の上側にあって本体１の内部には、液体である水を収容する容器としてのタンク１２が着脱自在に設けられる。タンク１２の開口部には、弁体（図示せず）を備えた着脱可能な給水キャップ１３が装着されており、タンク１２を本体水受皿１１から外した状態では、弁体により給水キャップ１３の給水口が塞がれる一方で、給水キャップ１３を本体水受皿１１に向けた状態で、本体水受皿１１の上側からタンク１２を装着すると、本体水受皿１１の内底面より上方に突出する弁作動突起（図示せず）が弁体を押して給水キャップ１３の給水口を開放し、タンク１２から本体水受皿１１に水が供給される。このとき本体水受皿１１の水位は、給水キャップ１３の下端の高さになり、これが本体水受皿１１および後述する加熱槽１５における定常水位面１４となる。
【００１４】
１５は、タンク１２から供給される水を蒸発させる蒸気発生部としての加熱槽で、この加熱槽１５は上面を開口した有底状をなし、側部周囲には内部に収容した水を加熱する発熱体１６が設けられる。ここでは、加熱槽１５と本体水受皿１１が水路１７で連通している関係で、加熱槽１５の内部には本体水受皿１１と同じ定常水位面１４の高さにまでタンク１２の水が流入している。また、本体水受皿１１の底面開口１１Ａと、加熱槽１５の底面開口１５Ａとを繋ぐ水路１７の途中には、その上流側からヒータによる除菌手段１８と、除菌手段１８の下流から上流に水を戻す手段としてのポンプ１９がそれぞれ設けられる。
【００１５】
本体１の上面にはフード状の吹出口２０が着脱自在に設けられており、この吹出口２０と加熱槽１５の上面開口との間には、筒状の送風ガイド２１が連通接続される。また、加熱槽１５の定常水位面１４よりも上方に位置して、送風ガイド２１の側面には送風孔２２が開口形成され、本体１の内部に設けた送風装置たる送風ファン２３から、送風路２４を通過した空気が、この送風路２４の先端側に連通する送風孔２２より送風ガイド２１の内部に流入するようになっている。これにより、発熱体１６を通電して加熱槽１５により水分を蒸発させた蒸気は、送風ガイド２１を通過する間に、送風孔２２に供給される送風ファン２３からの風と混合してその温度が低減し、吹出口２０から本体１の外部に適度な温度で吐出される構成となっている。
【００１６】
前記送風ガイド２１の側面には、送風孔２２の他に静電霧化装置３１につながる給水部としてのバイパス管３２が設けられる。このバイパス管３２は、一端が加熱槽１５の定常水位面１４よりも上方に位置して、送風ガイド２１の側部に連通し、他端が静電霧化装置３１を構成する受皿（ドレンパン）３３の上面開口に臨んで開口している。
【００１７】
静電霧化装置３１は、有底状をなす貯留部としての前記受皿３３と、前記受皿３３の壁面に形成した通水部としての切欠き部５０と、本体水受皿１１の上方に位置し、前記切欠き部５０の端縁に連結して下方に延びた対をなす板片状の突起５１と、受皿３３に下部が囲まれた導水体としての給水棒３４と、給水棒３４の上部に設けられた霧化物の発生部３５とにより構成される。また、発生部３５は図３に示すように、毛細管現象により基端側から先端側へと水を搬送する複数本の棒状体３６を備え、その他に何れも図示しないが、棒状体３６に供給する水に対して電圧を印加する一方の電極と、一方の電極に対向して設けられる他方の電極とを有している。
【００１８】
前記バイパス管３２の他端側には、例えばビニール系（ポリ塩化ビニール）等の吸湿スポンジからなる吸水性素材４１が配設される。この吸水性素材４１は、バイパス管３２に導かれた蒸気を水滴化させるもので、蒸気は通さずに液化した水分を通す構造を有している。前記静電霧化装置３１の受皿３３は、吸水性素材４１から滲み出た水滴を受け得るように配置され、受皿３３に貯留した水分を給水棒３４の毛細管現象によって発生部３５に搬送するようになっている。
【００１９】
次に、上記構成についてその作用を説明する。加湿器の運転を行なうに際しては、前もって給水キャップ１３を開けてタンク１２に所定量の水を投入し、給水キャップ１３を閉めてタンク１２を本体水受皿１１に倒立状態で装着する。このとき、タンク１２からの水Ｗが本体水受皿１１のみならず、この本体水受皿１１から水路１７を通して加熱槽１５にも流れ込み、本体水受皿１１および加熱槽１５内の水位は、何れも給水キャップ１３の下端の高さに保たれる。
【００２０】
次に電源コード５を商用電源のコンセント（図示せず）に差込み、操作スイッチ３を押動操作して加湿運転を開始すると、加熱槽１５に装着した発熱体１６が通電し、加熱槽１５内に貯留する水が沸騰して蒸気が発生する。また、加熱運転の開始と共に送風ファン２３が動作すると、本体１周辺の室内空気が送風ファン２３に取り込まれ、これが冷風として送風路２４に導かれて送風孔２２から送風ガイド２１に送り出される。送風ガイド２１の内部は加熱槽１５内から発生する水蒸気で満たされるが、吹出口２０に向かう途中で送風孔２２から供給される冷風と混合してその温度が低減し、吹出口２０から本体１の外部に適度な温度で蒸気を吐出して、本体１周辺の室内空気を加湿する。
【００２１】
一方、送風ガイド２１の内部に達した蒸気の一部は、送風ガイド２１に連結するバイパス管３２にも流れ込んで、そのバイパス管３２に設けた吸水性素材４１によって液化され、液化された水分は静電霧化装置３１の下部にある受皿３３に滲み出るように滴下される。受皿３３に溜まった水滴は、この受皿３３に設置される給水棒３４の毛細管現象により発生部３５の各棒状体３６に導かれ、発生部３５において、一方の電極と他方の電極との間に高電圧を印加し、棒状体３６の先端側に搬送された水に静電霧化現象を生じさせることで、発生部３５から本体１の外部に小径ミストが吐出される。
【００２２】
ここで、前記吹出口２０から吐出する蒸気は粒径が数μｍ以上であるのに対して、発生部３５から吐出する小径ミストは粒径が１〜数十ｎｍ程度であり、両者を適宜吐出することで、蒸気の暴露により人体の肌や喉に対して短時間で飽和近くまで空気中に水分を補給した上で、小径ミストの暴露によりさらに水分を上昇させることが可能になる。また、小径ミストとして特に粒径が数十ｎｍのものを多く発生させるように設定すれば、小径ミストの暴露により人体の角質層表面の隙間の奥にまでも水分を補給することができる他、小径ミストは飛散しやすいので室内の遠方にまで行き届きやすく、また高帯電しているので皮膚に付着しやすいという利点もある。
【００２３】
一方、上述した加湿運転中の状態で、吹出口２０を布などでふさがれると、送風ガイド２１から吹出口２０に向けた水蒸気が逆流して、バイパス管３２に流れ込む。しかし、バイパス管３２に設けた吸水性素材４１によって、逆流した蒸気は確実に水滴化され、そこから受皿３３に貯留されるので、蒸気のまま静電霧化装置３１に侵入することはなく、発生部３５を構成する電極に高電圧を印加しても、静電霧化装置３１の周辺に付着する水分に起因した感電を防止することが可能になる。
【００２４】
また、静電霧化装置３１で霧化しきれずに溢れた水は、受皿３３に蓄積してやがて受皿３３の壁面に形成した切欠き部５０から溢れ出し、切欠き部５０の下方に設けた突起５１から本体水受皿１１に落下する。すなわち、受皿３３に貯留した水を静電霧化装置３１で霧化しきれない状態に陥っても、受皿３３から切欠き部５０を通して溢れ出した水が、突起５１に導かれて必ず一定の箇所から本体水受皿１１に落下するため、静電霧化装置３１の霧化しきれずに溢れた水分を確実に電気的に絶縁し、加湿用水と電気的に短絡することによる感電を防止することが可能になる。
【００２５】
以上のように本実施例では、蒸気発生部である加熱槽１５からの蒸発した水分を給水部であるバイパス管３２に通し、静電霧化装置３１に水滴を供給する加湿器において、蒸気を遮断するものの液化した水分を通す吸水性素材４１をバイパス管３２に設けており、さらに静電霧化装置３１で霧化しきれない水を戻す受皿３３を静電霧化装置３１の下方に配置し、受皿３３から溢れた水を必ず一定の箇所から本体水受皿１１に落下させる滴下部として、突起５１を設けている。
【００２６】
この場合、受皿３３から溢れ出した水は突起５１によって必ず一定の箇所から本体水受皿１１に落下するので、例えば蒸気吐出口である吹出口２０などがふさがれて、吹出口２０からバイパス管３２に蒸気が逆流し、その水分が受皿３３に蓄積して溢れ出すようなことになっても、突起５１に導かれて必ず一定の箇所から本体水受皿１１に落下させることが可能となる。そのため、受皿３３から溢れ出した水分によって加湿用水と電気的に短絡することを確実に防ぐことができ、静電霧化装置への蒸気の逆流による感電を防止した安全な加湿器を提供できる。
【００２７】
また、バイパス管３２の端部を受皿３３の上部開口に臨んで、受皿３３から離間して配置し、そのバイパス管３２の端部内に吸水性素材４１を設けることで、吸湿性素材４１から滲み出る水滴を、そのまま直接的に受皿３３に滴下させることができ、逆流した蒸気を無駄なく静電霧化装置３１で霧化することが可能になる。
【００２８】
なお、本発明は上記各実施例に限定されるものではなく、種々の変形実施が可能である。切欠き部５０に設けられた突起５１は、本実施例の図４や図５に記載したような形状に限られるものではなく、適宜変更が可能であり、受皿３３から溢れ出した水を導く先を、本体水受皿１１以外の場所にする構成にすることも可能である
【符号の説明】
【００２９】
１  本体
１１  本体水受皿
１５  加熱槽（蒸気発生部）
２０  吹出口
３１  静電霧化装置
３２  バイパス管（給水部）
３３  受皿
３５  霧化発生部
４１  吸水性素材
５１  突起（滴下部）
【図１】
0005508142.tif 000002
【図２】
0005508142.tif 000003
【図３】
0005508142.tif 000004
【図４】
0005508142.tif 000005
【図５】
0005508142.tif 000006